(57)【特許請求の範囲】
【請求項１】
表示盤の前面に表示面を略垂直にして取り付けられた大型のスクリーンを有する液晶表示装置において、
前記表示盤と前記スクリーンとをそれぞれの側部において片側２箇所で連結し、前記表示盤との各連結部が前記表示盤に軸支され、前記スクリーンとの各連結部が前記スクリーンに軸支されて、連結状態で前記スクリーンを前記表示盤の前面方向へ前記表示面を略垂直に保ったまま移動可能にした第１の連結部材と、
前記表示盤と前記第１の連結部材とを連結し、前記表示盤との連結部が前記表示盤に軸支され、前記第１の連結部材との連結部が前記第１の連結部材に軸支された第２の連結部材と、
前記表示盤に設けられ、前記第２の連結部材の前記表示盤に軸支された連結部が摺動可能な案内溝と、
を有することを特徴とする液晶表示装置。
【発明の詳細な説明】
【０００１】
【発明の属する技術分野】
本発明は液晶表示装置に関し、特に大型の液晶ディスプレイを有する液晶表示装置であって、表示盤の前面にスクリーンを有する液晶表示装置に関する。
【０００２】
【従来の技術】
近年、大型の液晶ディスプレイを有する大型液晶表示装置が広く実用されている。
【０００３】
大型の液晶表示装置は、目的とする液晶ディスプレイの画面サイズよりも小型の液晶表示装置をユニットとし、複数のユニットを電気接続して形成する。このように複数のユニットが一体となって、ひとつの大型液晶ディスプレイを形成し、大型液晶ディスプレイにひとつの画像を映し出す。
【０００４】
大型液晶ディスプレイを構成するユニットは、電気接続するための配線が外部に引き出されているため、複数のユニットを連結する際、その連結部分に隙間ができてしまう。この状態でそのまま表示した場合、連結部分の隙間により、大型の液晶表示装置の表示面側から見た場合、連結されたユニットの境界で、画像が切れて表示される。そのため、液晶ディスプレイのユニットのパネル集合体である、大型の液晶表示装置の表示盤前面に、所定のスペースを開けてスクリーンを設け、連結されている個々のユニットの画像を拡大してスクリーンに投影し、投影された画像がスクリーン上で連結するようにしている。これにより、ユニットの連結時に、連結部分に隙間が生じていても、スクリーン上で、個々の画像が互いに連結されて表示されるので、大型液晶表示装置の表示面側からは、ユニットの連結部分で切れ目のない画像を見ることができるようになる。
【０００５】
このように構成された大型の液晶表示装置は、液晶ディスプレイの表示盤とスクリーンとの間に、拡大投影するのに必要なスペースが設けられている。このスペースには外気が入り込み汚れやすい。そのため、液晶表示装置、表示盤を構成するパネル、およびスクリーンを定期的に点検する必要がある。このように、汚れ、あるいはユニットである液晶表示装置の修理や交換を行う場合にも、大型液晶ディスプレイの表示盤の前面に取り付けられたスクリーンを表示盤から取り外してから、液晶表示装置、パネル、スクリーンの保守点検を行う必要がある。
【０００６】
【発明が解決しようとする課題】
しかしながら、従来、大型の液晶ディスプレイを有する液晶表示装置において、保守点検作業を行う際は、スクリーンを表示盤の前面からの取り外し、スクリーンの上げ下ろしを人力により行わなければならなかった。
【０００７】
図６は、従来の保守点検方法の説明図である。
液晶表示装置１００は、表示盤１０１と、表示盤１０１の前面に取り付けられたスクリーン１０２と、制御部１０３とから構成され、液晶表示装置１００の底部で床１０４に固定されている。
【０００８】
上記の構成の液晶表示装置１００の保守点検を行う場合は、まず、人がスクリーン１０２を持って、スクリーン１０２を表示盤１０１から完全に切り離された状態にする。取り外したスクリーン１０２は保守点検作業の邪魔にならないよう、安全な場所へ運搬したり、人が支えたりする。スクリーンはアクリルなどの材質で形成されており、衝撃により破損する可能性がある。さらに、大型の液晶ディスプレイに使用するスクリーンのサイズでは、スクリーンを水平方向に大きく傾けると、その自重によってスクリーンの中央付近がたわむことにより折れて破損する可能性がある。そのため、表示盤１０１から取り外したスクリーン１０２は、ほぼ垂直に保ったまま安全な場所へ運搬しなければならない。また、取り外したスクリーン１０２をほぼ垂直に保ったまま保管しておく必要がある。保守点検後にスクリーン１０２を表示盤に取り付ける際も、取り外したときと同様に、スクリーン１０２がほぼ垂直を保っているかに気を配って作業を行わなければならない。
【０００９】
このように、表示盤からのスクリーンの取り外しや取り付けは、人力で行わなければならないとともに、スクリーンをほぼ垂直に保ったまま運搬しなければならないので、大変な労力が必要であった。さらに、スクリーンの重量は数十ｋｇにもなるため、スクリーンの取り外しや取り付け時の作業が不安定になりやすく、スクリーンを垂直に保とうとするあまり無理な姿勢で作業を行って体をいためたり、バランスを崩してスクリーンを周囲に衝突させ、スクリーンとその周囲の機器の破損を引き起こしたりする可能性があった。
【００１０】
本発明はこのような点に鑑みてなされたものであり、保守点検作業を安全かつ効率的に行うためのスクリーン開閉機構を有する液晶表示装置を提供することを目的とする。  
【００１１】
【課題を解決するための手段】
本発明では上記問題を解決するために、表示盤の前面に表示面を略垂直にして取り付けられた大型のスクリーンを有する液晶表示装置において、表示盤とスクリーンとをそれぞれの側部において片側２箇所で連結し、表示盤との各連結部が表示盤に軸支され、スクリーンとの各連結部がスクリーンに軸支されて、連結状態でスクリーンを表示盤の前面方向へ表示面を略垂直に保ったまま移動可能にした第１の連結部材と、表示盤と第１の連結部材とを連結し、表示盤との連結部が表示盤に軸支され、第１の連結部材との連結部が第１の連結部材に軸支された第２の連結部材と、表示盤に設けられ、第２の連結部材の表示盤に軸支された連結部が摺動可能な案内溝と、を有することを特徴とする液晶表示装置が提供される。
【００１２】
このような液晶表示装置によれば、第１の連結部材が、表示盤とスクリーンとを連結し、かつ、表示盤との連結部およびスクリーンとの連結部が、それぞれ表示盤およびスクリーンに軸支され、第１の連結部材と表示盤との連結部を軸にしてスクリーンが回動する。さらに、第２の連結部材が、表示盤と第１の連結部材とを連結し、かつ、表示盤との連結部および第１の連結部材との連結部が、それぞれ表示盤および第１の連結部材に軸支され、第２の連結部材と表示盤との連結部が、表示盤が有する案内溝を摺動可能に構成されている。これにより、第１の連結部材と表示盤との連結部を軸にしてスクリーンが回動すると、このときの、スクリーンと表示盤とを連結している第１の連結部材の動きに合わせ、第１の連結部材に連結された第２の連結部材の表示盤との連結部が、表示盤に設けられた案内溝を摺動し、スクリーンが開閉する。
【００１３】
さらに、第１の連結部材が、表示盤およびスクリーンとそれぞれの側部において片側２箇所で連結されているので、スクリーンを表示盤の前面方向へ移動する際、表示盤が大きく傾くことがない。そのため、スクリーンは、表示盤と連結された状態で、その表示面を略垂直に保ったまま移動する。
【００１４】
【発明の実施の形態】
以下、本発明の実施の形態を、８５インチサイズの大型スクリーンを有する液晶表示装置に適用した場合を例に図面を参照して詳細に説明する。
【００１５】
図１は本発明のスクリーン開閉機構を有する液晶表示装置の側面図であって、（ａ）はスクリーンを閉じた状態、（ｂ）はスクリーンの開閉途中の状態、（ｃ）はスクリーンを開けた状態を示している。
【００１６】
液晶表示装置１０は、複数のユニットの集合体である表示盤１１と、表示盤１１の前面に取り付けられたスクリーン１２と、スクリーン１２の表示盤１１との取り付け面側に配置されたステー固定部１３と、表示盤１１とステー固定部１３とを連結する第１の連結部材であるステー１４０および１４１と、表示盤１１とステー１４０および１４１とを連結する第２の連結部材であるストッパー用ステー１５０および１５１と、液晶表示装置１０の表示機能を制御する制御部１６とから構成されている。
【００１７】
さらに、表示盤１１には、その側面の所定の位置に、ストッパー用ステー案内溝１１０および１１１が設けられている。
ステー１４０および１４１は、表示盤１１に連結されている表示盤側連結部分１４０ａおよび１４１ａと、ステー固定部１３に連結されているステー固定部側連結部分１４０ｂおよび１４１ｂとを有している。また、ストッパー用ステー１５０および１５１は、表示盤１１に軸支され、かつ、表示盤１１の側面に設けられたストッパー用ステー案内溝１１０および１１１にそれぞれ配置された表示盤側可動連結部分１５０ａおよび１５１ａと、ステー１４０および１４１に連結されているステー側連結部分１５０ｂおよび１５１ｂとを有している。
【００１８】
表示盤１１とステー固定部１３とを連結するステー１４０の連結部分のうち、表示盤側連結部分１４０ａは表示盤１１に軸支されており、ステー固定部側連結部分１４０ｂはステー固定部１３に軸支されている。ステー１４１も同様に、表示盤側連結部分１４１ａが表示盤１１に軸支されており、ステー固定部側連結部分１４１ｂがステー固定部１３に軸支されている。
【００１９】
さらに、表示盤１１とステー１４０とを連結するストッパー用ステー１５０の連結部分のうち、表示盤側可動連結部分１５０ａは表示盤１１に、表示盤側可動連結部分１５０ａの軸が表示盤１１の側面に設けられたストッパー用ステー案内溝１１０に沿って摺動可能に配置されており、ステー側連結部分１５０ｂはステー１４０の表示盤側連結部分１４０ａとステー固定部側連結部分１４０ｂとの間の所定の位置に軸支されている。ストッパー用ステー１５１も同様に、表示盤側可動連結部分１５１ａが表示盤１１に、表示盤側可動連結部分１５１ａの軸が表示盤１１の側面に設けられたストッパー用ステー案内溝１１１に沿って摺動可能に配置されており、ステー側連結部分１５１ｂはステー１４１の表示盤側連結部分１４１ａとステー固定部側連結部分１４１ｂとの間の所定の位置に軸支されている。
【００２０】
上記の構成の液晶表示装置１０におけるスクリーン１２の開閉では、まず、表示盤１１に固定されているスクリーン１２の固定を開放する。次いで、スクリーン１２を、表示盤１１の前面方向に移動する。表示盤側連結部分１４０ａおよび１４１ａは、それぞれ表示盤１１に軸支され、ステー固定部側連結部分１４０ｂおよび１４１ｂは、それぞれステー固定部１３に軸支されているので、ステー固定部１３は、表示盤側連結部分１４０ａ、１４１ａを軸にして回動する。さらに、表示盤１１およびステー固定部１３は、表示盤側連結部分１４０ａおよび１４１ａ、ステー固定部側連結部分１４０ｂおよび１４１ｂのそれぞれ２箇所で連結されているので、スクリーン１２が、ステー固定部１３において揺動することがなく安定して移動できる。これにより、図１（ｂ）に示すように、ステー固定部１３が設けられたスクリーン１２が表示盤１１の前面方向に、その表示面をほぼ垂直に維持した状態で移動する。
【００２１】
さらに、図１（ｂ）および（ｃ）で示すように、ステー１４０はストッパー用ステー１５０で表示盤１１と連結されており、ステー１４１はストッパー用ステー１５１で表示盤１１と連結されている。このストッパー用ステー１５０および１５１の表示盤側可動連結部分１５０ａおよび１５１ａが、表示盤１１に軸支され、かつ、ストッパー用ステー案内溝１１０および１１１に摺動可能に配置されているので、スクリーン１２の動きに合わせて、表示盤側可動連結部分１５０ａおよび１５１ａがストッパー用ステー案内溝１１０および１１１を摺動し、表示盤側可動連結部分１５０ａおよび１５１ａが、ストッパー用ステー案内溝１１０および１１１の下端に到達した時点で、図１（ｃ）に示す状態でスクリーン１２は停止し、固定される。
【００２２】
以上説明した可動式のステーを用いたスクリーン開閉機構を有する液晶表示装置１０によれば、スクリーン１２を表示盤１１の前面方向に、ほぼ垂直に維持した状態で移動し、かつストッパー用ステー案内溝１１０および１１１の長さで決定される所定の位置で停止させることができる。これにより、表示盤１１の前面に設けられたスクリーン１２の開閉を安全かつ効率的に行うことができるとともに、保守点検を行う場合には、取り外した後、安全な場所へ運搬したり、人が支えていたりする必要がなく、さらに、スクリーン１２を開けた状態で、液晶表示装置１０の前部周辺に作業スペースを確保することができる。
【００２３】
上記の液晶表示装置１０は、もちろん、液晶表示装置１０の左右両方に同一のスクリーン開閉機構を有している。
上記の説明では可動式のステーを用いたスクリーンの開閉機構について述べたが、可動式のステーに代えて、ダンパーを用いてスクリーンの開閉機構を構成してもよい。
【００２４】
図２はダンパーを用いたスクリーン開閉機構を有する液晶表示装置の側面図である。ただし、図２ではスクリーンが開いている状態を示している。
液晶表示装置２０は、複数のユニットの集合体である表示盤２１と、表示盤２１の前面に取り付けられたスクリーン２２と、スクリーン２２の表示盤２１との取り付け面側に配置されたステー固定部２３と、表示盤２１とステー固定部２３とを連結するステー２４０および２４１と、表示盤２１とステー２４０および２４１とを連結するダンパー２５０および２５１と、液晶表示装置２０の表示機能を制御する制御部２６とから構成されている。
【００２５】
ステー２４０および２４１は、表示盤２１に連結されている表示盤側連結部分２４０ａおよび２４１ａと、ステー固定部２３に連結されているステー固定部側連結部分２４０ｂおよび２４１ｂとを有している。また、ダンパー２５０および２５１は、表示盤２１に連結されている連結部分２５０ａおよび２５１ａと、ステー２４０および２４１に連結されているステー側連結部分２５０ｂおよび２５１ｂとを有している。
【００２６】
表示盤２１とステー固定部２３とを連結するステー２４０の連結部分のうち、表示盤側連結部分２４０ａは表示盤２１に軸支されており、ステー固定部側連結部分２４０ｂはステー固定部２３に軸支されている。ステー２４１も同様に、表示盤側連結部分２４１ａが表示盤２１に軸支されており、ステー固定部側連結部分２４１ｂがステー固定部２３に軸支されている。
【００２７】
さらに、表示盤２１とステー２４０とを連結するダンパー２５０の連結部分のうち、連結部分２５０ａは表示盤２１に軸支されており、ステー側連結部分２５０ｂはステー２４０に軸支されている。ダンパー２５１も同様に、連結部分２５１ａは表示盤２１に軸支されており、ステー側連結部分２５１ｂはステー２４１に軸支されている。
【００２８】
上記の構成の液晶表示装置２０におけるスクリーン２２の開閉では、まず、表示盤２１に固定されているスクリーン２２の固定を開放する。次いで、スクリーン２２を、表示盤２１の前面方向に移動する。表示盤側連結部分２４０ａおよび２４１ａは、それぞれ表示盤２１に軸支され、ステー固定部側連結部分２４０ｂおよび２４１ｂは、それぞれステー固定部２３に軸支されているので、ステー固定部２３は、表示盤側連結部分２４０ａ、２４１ａを軸にして回動する。さらに、表示盤２１およびステー固定部２３は、表示盤側連結部分２４０ａおよび２４１ａ、ステー固定部側連結部分２４０ｂおよび２４１ｂのそれぞれ２箇所で連結されているので、スクリーン２２が、ステー固定部２３において揺動することがなく安定して移動できる。これにより、ステー固定部２３が設けられたスクリーン２２が表示盤２１の前面方向に、ほぼ垂直に維持した状態で移動する。
【００２９】
さらに、ステー２４０は、ダンパー２５０で表示盤２１と連結されており、ステー２４１はダンパー２５１で表示盤２１と連結されている。このダンパー２５０および２５１が、ステー２４０および２４１の表示盤側連結部分２４０ａおよび２４１ａを軸にして回動するスクリーン２２の動きに合わせて伸縮する。したがって、ダンパー２５０および２５１が伸びきった状態に達した時点でスクリーン２２は停止し、固定される。
【００３０】
以上説明したダンパーを用いたスクリーン開閉機構を有する液晶表示装置２０によれば、スクリーン２２を表示盤２１の前面方向に、ほぼ垂直に維持した状態で移動し、かつダンパー２５０および２５１を最大に伸ばしたときの長さで決定される所定の位置で停止させることができる。これにより、表示盤２１に設けられたスクリーン２２の開閉を安全かつ効率的に行うことができるとともに、保守点検を行う場合には、取り外した後、安全な場所へ運搬する必要がなく、さらに、スクリーン２２を開けた状態で、液晶表示装置２０の前部周辺に作業スペースを確保することができる。また、スクリーンの開閉にダンパーや油圧式ダンパーを利用することにより、スクリーン開閉時の動作がスムーズになる。
【００３１】
上記の液晶表示装置２０は、もちろん、液晶表示装置２０の左右両方に同一のスクリーン開閉機構を有している。
また、スクリーン開閉機構に用いるダンパーは、上記のダンパーのほか、伸長方向に反力を有する油圧ダンパーを用いる構成としてもよい。
【００３２】
図２に示したダンパー２５０および２５１に代えて、伸長方向に反力を有する油圧ダンパーを用いることにより、スクリーン２２を、表示盤側連結部分２４０ａおよび２４１ａを軸にして回動した際、ダンパー２５０および２５１に代えて設けた油圧ダンパーの反力によりスクリーンの回動に抵抗がかかる。これにより、スクリーン２２が、その自重による勢いで回動するのを防止できるので、スクリーン２２が勢いよく開いてしまうことによる、装置の破損、けがなどの危険を回避することができるようになる。
【００３３】
さらに、スクリーンが自重により勢いよく開いてしまうのを防止するために、スクリーンの開閉時に、ウインチから巻き出すワイヤーなどによりスクリーンを支える構成とすることもできる。
【００３４】
図３はウインチを利用したスクリーン開閉機構を有する液晶表示装置の側面図である。
液晶表示装置３０は、複数のユニットの集合体である表示盤３１と、表示盤３１の前面に取り付けられたスクリーン３２と、スクリーン３２の表示盤３１との取り付け面側に配置されたステー固定部３３と、表示盤３１とステー固定部３３とを連結するステー３４０および３４１とを有し、ステー３４０および３４１は、表示盤３１に連結されている表示盤側連結部分３４０ａおよび３４１ａと、ステー固定部３３に連結されているステー固定部側連結部分３４０ｂおよび３４１ｂと、液晶表示装置３０の表示機能を制御する制御部３６とを有している。表示盤３１とステー固定部３３とを連結するステー３４０の連結部分のうち、表示盤側連結部分３４０ａは表示盤３１に軸支されており、ステー固定部側連結部分３４０ｂはステー固定部３３に軸支されている。ステー３４１も同様に、表示盤側連結部分３４１ａが表示盤３１に軸支されており、ステー固定部側連結部分３４１ｂがステー固定部３３に軸支されている。
【００３５】
さらに、液晶表示装置３０は、表示盤３１の側面に設けられたウインチ３５ａと、表示盤３１の側面でウインチ３５ａの上方に設けられた滑車３５ｂと、スクリーン３２に設けられたワイヤー接続部３５ｃとを有し、ウインチ３５ａとワイヤー接続部３５ｃとが滑車３５ｂを介してワイヤー３５ｄで結ばれている。
【００３６】
上記の構成の液晶表示装置３０におけるスクリーン３２の開閉では、まず、表示盤３１に固定されているスクリーン３２の固定を開放する。次いで、スクリーン３２を、表示盤３１の前面方向に移動する。表示盤側連結部分３４０ａおよび３４１ａは、それぞれ表示盤３１に軸支され、ステー固定部側連結部分３４０ｂおよび３４１ｂは、それぞれステー固定部３３に軸支されているので、ステー固定部３３は、表示盤側連結部分３４０ａ、３４１ａを軸に回動する。さらに、表示盤３１およびステー固定部３３は、表示盤側連結部分３４０ａおよび３４１ａ、ステー固定部側連結部分３４０ｂおよび３４１ｂのそれぞれ２箇所で連結されているので、スクリーン３２が、ステー固定部３３において揺動することがなく安定して移動できる。これにより、ステー固定部３３が設けられたスクリーン３２が表示盤３１の前面方向に、その表示面をほぼ垂直に維持した状態で移動する。
【００３７】
さらに、スクリーン３２は、ウインチ３５ａとワイヤー接続部３５ｃとを滑車３５ｂを介してワイヤー３５ｄで結ぶワイヤー機構により表示盤３１と連結されているので、このウインチ機構が、ワイヤー３５ｄの巻き出しを制御して、ステー３４０および３４１の表示盤側連結部分３４０ａおよび３４１ａを軸にして回動するスクリーン３２の動きを支え、適当な位置で、スクリーン３２は停止し、固定される。
【００３８】
以上説明したウインチを利用したスクリーン開閉機構を有する液晶表示装置３０によれば、スクリーン３２を表示盤３１の前面方向に、垂直に維持した状態で移動し、ウインチ３５ａでワイヤー３５ｄの巻き出しを調節して所定の位置で停止させることができる。これにより、表示盤３１に設けられたスクリーン３２の開閉を安全かつ効率的に行うことができるとともに、保守点検を行う場合には、取り外した後、安全な場所へ運搬する必要がなく、さらに、スクリーン３２を開けた状態で、液晶表示装置３０の前部周辺に作業スペースを確保することができる。また、スクリーンの開閉にウインチを利用することにより、スクリーンと表示盤との間の部品点数を減少でき、より大きな作業スペースを確保でき、スペースの有効利用が可能になる。
【００３９】
さらに、液晶表示装置３０は、保守点検の作業終了後に、ウインチ３５ａでワイヤー３５ｄを巻き取って、スクリーン３２を元の位置まで閉じることができるので、人の力を介さずにスクリーン３２の開閉を行うことができる。
【００４０】
また、表示盤３１に滑車３５ｂを設けず、図３に示す滑車３５ｂの位置に、ウインチ３５ａを配置した構成としても、同様の効果が得られる。この場合、ウインチ機構が滑車３５ｂを介さないので、表示盤に配置する部品点数が少なくて済み、小スペースにスクリーン開閉機構を設けることができる。
【００４１】
上記の液晶表示装置３０は、もちろん、液晶表示装置３０の左右両方に同一のスクリーン開閉機構を有している。
以上説明したように、可動式ステー、ダンパー、油圧式ダンパー、ウインチを利用したスクリーン開閉機構を設けた液晶表示装置により、液晶表示装置の保守点検に際し、作業スペースを確保し、かつスクリーンの開閉を安全かつ効率的に行うことができる。
【００４２】
また、以上の説明では、８５インチサイズの液晶表示装置に適用した場合について述べたが、スクリーンサイズは単なる例であって、スクリーンの開閉時に、液晶表示装置に掛かる荷重に耐えうるスクリーンサイズの液晶表示装置に適用することが可能である。
【００４３】
しかし、例えば１１４インチサイズなどの液晶表示装置をはじめ、さらに大型の液晶表示装置や、今後さらに大型化する液晶表示装置、あるいはスクリーンの材質変更などにより、スクリーン自体の重量が増した場合には、上記のスクリーン開閉機構では、スクリーンの自重により、液晶表示装置が前方に転倒する可能性がある。そこで、液晶表示装置の前方へ荷重が掛かりすぎないようにスクリーンを開閉する必要がある。
【００４４】
ここでは、スクリーンに滑車を設け、スクリーンを液晶表示装置の正面方向に搬送するための搬送レールを備えた保守点検用の治具を作製し、このスクリーン開閉用治具が備える搬送レール上を、スクリーンに設けた滑車を介してスクリーンが搬送されて表示盤から取り外されるように構成する。
【００４５】
以下、保守点検のためのスクリーン開閉用治具を有する液晶表示装置について詳細に説明する。
図４はスクリーン開閉用治具を備えた液晶表示装置の側面図であって、（ａ）はスクリーンを閉じている状態、（ｂ）は液晶表示装置にスクリーン開閉用治具を取り付けた状態、（ｃ）はスクリーン開閉時の状態を示している。
【００４６】
液晶表示装置４０は、複数のユニットの集合体である表示盤４１と、表示盤４１の前面に取り付けられたスクリーン４２と、液晶表示装置４０の表示機能を制御する制御部４６と、制御部４６内の空間に設けられたスクリーン開閉用治具収納部４６ａとから構成され、さらに、スクリーン４２にはスクリーンを液晶表示装置の正面方向に搬送するためのスクリーン搬送機構部４７と、スクリーン４２の外縁近傍に設けられた補強用貫通孔４８ａ、４８ｂが設けられている。
【００４７】
また、液晶表示装置４０に取り付けるスクリーン開閉用治具５０は、表示盤４１からスクリーン４２の搬送方向に向かって設けられた搬送レール５１と、液晶表示装置４０の正面側に床から垂直に設け、搬送レール５１を所定の高さに固定して支持する支持部材５２と、支持部材５２の下端に設けられた固定金具５２ａと、搬送レール５１と平行で、かつ、スクリーン４２の補強用貫通孔４８ａが設けられている高さで、支持部材５２に一端が固定され、補強用貫通孔４８ａを貫通し、表示盤４１に他端が固定される第１補強部材５３と、搬送レール５１と平行で、かつ、スクリーン４２の補強用貫通孔４８ｂが設けられている高さで、支持部材５２に一端が固定され、補強用貫通孔４８ｂを貫通し、表示盤４１に他端が固定される第２補強部材５４とから構成されている。
【００４８】
上記の構成の液晶表示装置４０へのスクリーン開閉用治具５０の取り付けは、まず、搬送レール５１の一方の先端部分を液晶表示装置４０にボルトなどを用いて機械的に接続して固定するとともに、液晶表示装置の正面に支持部材５２を立て、支持部材５２の先端部分と、液晶表示装置４０に一方の先端部分が取り付けられた搬送レール５１の他方の先端部分とを機械的に接続する。さらに、支持部材５２の下端に設けた固定金具５２ａにより、高さを微調整しながら適当な位置で支持部材５２および搬送レール５１を固定する。このときの高さは、搬送レールが略水平となる高さに固定するのが好ましい。次いで、スクリーン４２の外縁近傍に設けられた補強用貫通孔４８ａに、第１補強部材５３を通して、一方の先端部分を液晶表示装置４０の表示盤４１に固定し、他方の先端部分を支持部材５２に固定する。同様に、スクリーン４２の外縁近傍に設けられた補強用貫通孔４８ｂに、第２補強部材５４を通して、一方の先端部分を液晶表示装置４０の表示盤４１に固定し、他方の先端部分を支持部材５２に固定する。これにより、図４（ｂ）に示すような液晶表示装置４０にスクリーン開閉用治具５０を取り付けた状態になる。
【００４９】
スクリーン開閉用治具５０を取り付けた液晶表示装置４０におけるスクリーン４２の開閉状態を図４（ｃ）に示す。
図５は図４（ｃ）に示したＡ部の拡大図であって、（ａ）は側面図、（ｂ）は正面図である。
【００５０】
スクリーン搬送機構部４７は、スクリーン搬送用の滑車４７ａと、滑車４７ａとスクリーン４２とを固定する固定部材４７ｂとから構成されている。
図５（ｂ）に示すように、スクリーン搬送機構部４７が有する滑車４７ａが、液晶表示装置４０の正面方向に設けられたスクリーン開閉用治具５０が有する搬送レール５１に沿って摺動する。すなわち、スクリーン４２は滑車４７ａで搬送レール５１から吊り下げられながら、液晶表示装置の正面方向に、搬送レール５１に沿って移動し、表示盤４１から取り外される。
【００５１】
さらに、第１補強部材５３、第２補強部材５４は、スクリーンの外縁近傍に設けられた補強用貫通孔４８ａ、４８ｂを貫通して、その両端はそれぞれ表示盤４１、スクリーン開閉用治具５０が有する支持部材５２に固定されている。
【００５２】
スクリーン４２を開いた状態では、液晶表示装置４０から離れたスクリーン４２を、スクリーン開閉用治具５０の支持部材５２にボルト５５によって固定する。
【００５３】
作業終了後は、スクリーン４２をスクリーン開閉用治具５０の支持部材５２に固定していたボルト５５を外し、搬送レール５１に沿ってスクリーン４２を表示盤４１まで移動して固定する。次いで、スクリーン開閉用治具５０を各部材に分解して液晶表示装置４０から取り外し、分解したスクリーン開閉用治具５０の各部材は、制御部４６に設けたスクリーン開閉用治具収納部４６ａに収納する。
【００５４】
上記に示したような保守点検のためのスクリーン開閉用治具５０を有する液晶表示装置４０によれば、スクリーン４２に設けた滑車４７ａが、搬送レール５１を摺動するので、スクリーン４２をほぼ垂直に保ったまま、スムーズな開閉を行うことができる。さらに、スクリーン４２は、補強用貫通孔４８ａ、４８ｂをそれぞれ通る第１補強部材５３、第２補強部材５４により、スクリーン４２が搬送レール５１から外れるのを防止されているとともに、スクリーン４２が万一搬送レール５１から外れた場合でも、スクリーン４２が落下することによる破損、けがの心配がない。また、取り外したスクリーン４２は支持部材５２にボルト５５で固定するので、保守点検作業中に搬送したスクリーンが動いて、スクリーンと表示盤との間に作業者が挟まれてしまうという心配がない。
【００５５】
これにより、作業スペースを確保して、安全にスクリーンの開閉を行うことができるとともに、特に大型の液晶表示装置や、スクリーンの材質変更など、スクリーン自体の重量が増加した場合でも、スクリーンの開閉時に、スクリーンの自重により、液晶表示装置４０が前方に転倒するのを防止することができる。
【００５６】
また、スクリーン開閉用治具５０は、液晶表示装置４０の制御部４６内の空間に設けたスクリーン開閉用治具収納部４６ａに収納することができるので、保守点検時に、スクリーン開閉用治具収納部４６ａから取り出した、分解されたスクリーン開閉用治具５０の各部材を、前述した要領で組み立てて液晶表示装置４０に取り付け、スクリーン４２の開閉を行うことができる。したがって、液晶表示装置４０の周囲、特に表示盤４１の背面などに、各部材をひとまとめにして放置しておいたり、あるいは、保守点検時に、作業員が現場へ持ち込んで行ったりする必要がない。
【００５７】
以上説明したように、スクリーン開閉用治具５０を着脱可能とした液晶表示装置４０により、特に大型の液晶表示装置の保守点検に際し、スクリーンの開閉を安全かつ効率的に行うことができる。
【００５８】
なお、上記の説明では、液晶表示装置４０のスクリーン４２にあらかじめ滑車４７ａ、固定部材４７ｂを設けた構成としたが、滑車４７ａ、固定部材４７ｂを着脱可能に構成して、スクリーンの開閉作業時にスクリーン４２に取り付けるようにしてもよい。
【００５９】
また、以上の説明では、１１４インチサイズの液晶表示装置に適用した場合について述べたが、スクリーンサイズは単なる例であって、他のスクリーンサイズを有する液晶表示装置にも適用することが可能である。
【００６０】
【発明の効果】
以上説明したように、本発明では、表示盤の前面に表示面を略垂直にして取り付けられた大型のスクリーンを有する液晶表示装置において、表示盤とスクリーンとをそれぞれの側部において片側２箇所で連結する第１の連結部材と、この第１の連結部材と表示盤とを連結する第２の連結部材とを設け、さらに、表示盤に案内溝を設けて、スクリーンの開閉時に、第２の連結部材と表示盤との連結部が、この案内溝を摺動する構成にした。これにより、スクリーンが第１の連結部材と表示盤との連結部を軸にして回動するとき、表示盤およびスクリーンのそれぞれの側部に片側２箇所で連結されている第１の連結部材の動きに合わせて、第２の連結部材の表示盤との連結部が案内溝を摺動するので、スクリーンをほぼ垂直に保った状態で表示盤から取り外すことができる。さらに、スクリーンを開けた状態で、液晶表示装置の前部周辺に作業スペースを確保することができる。したがって、大型のスクリーンを有する液晶表示装置の保守点検作業を安全かつ効率的に行うことができるようになる。
【００６１】
また、スクリーンの開閉にダンパーや油圧式ダンパーを利用することにより、スクリーン開閉時の動作がスムーズになる。
さらに、スクリーンの開閉にウインチを利用することにより、スクリーンと表示盤との間の部品点数を減少でき、より大きな作業スペースを確保でき、スペースの有効利用が可能になる。
【００６２】
また、スクリーン開閉用治具を着脱可能とした液晶表示装置によれば、特に大型の液晶表示装置や、スクリーンの材質変更など、スクリーン自体の重量が増した場合でも、スクリーンの開閉時に、スクリーンの自重により、液晶表示装置が前方に転倒するのを防止することができる。したがって、スクリーンの開閉および保守点検作業を安全かつ効率的に行うことができるようになる。
【図面の簡単な説明】
【図１】本発明のスクリーン開閉機構を有する液晶表示装置の側面図であって、（ａ）はスクリーンを閉じた状態、（ｂ）はスクリーンの開閉途中の状態、（ｃ）はスクリーンを開けた状態を示している。
【図２】ダンパーを用いたスクリーン開閉機構を有する液晶表示装置の側面図である。
【図３】ウインチを利用したスクリーン開閉機構を有する液晶表示装置の側面図である。
【図４】スクリーン開閉用治具を備えた液晶表示装置の側面図であって、（ａ）はスクリーンを閉じている状態、（ｂ）は液晶表示装置にスクリーン開閉用治具を取り付けた状態、（ｃ）はスクリーン開閉時の状態を示している。
【図５】図４のＡ部の拡大図であって、（ａ）は側面図、（ｂ）は正面図である。
【図６】従来の保守点検方法の説明図である。
【符号の説明】
１０  液晶表示装置
１１  表示盤
１１０，１１１  ストッパー用ステー案内溝
１２  スクリーン
１３  ステー固定部
１４０，１４１     ステー
１４０ａ，１４１ａ  表示盤側連結部分
１４０ｂ，１４１ｂ  ステー固定部側連結部分
１５０，１５１  ストッパー用ステー
１５０ａ，１５１ａ  表示盤側可動連結部分
１５０ｂ，１５１ｂ  ステー側連結部分
１６  制御部
【図１】
0003576115.tif 000002
【図２】
0003576115.tif 000003
【図３】
0003576115.tif 000004
【図４】
0003576115.tif 000005
【図５】
0003576115.tif 000006
【図６】
0003576115.tif 000007